(57)【要約】【課題】  映像・音声コンテンツを再生する際に、バッテリ残量の不足によってユーザの意図に反してコンテンツの再生が中断してしまう事態を回避可能な携帯型端末装置を提供すること。【解決手段】  バッテリ残量取得部１０９は、携帯型端末装置のバッテリ残量を取得する。電力プロファイル記憶部１１０には、携帯型端末装置の各機能の実施に必要となる単位時間当たりの電力量が記録されている。ユーザが、再生したいコンテンツの種別を選択すると、バッテリ使用可能時間予測部１１１は、バッテリ残量と電力プロファイルに基づいて、ユーザが選択した種別のコンテンツの再生可能時間を計算する。ＣＰＵ１０１は、計算された再生可能時間よりも再生時間が短いコンテンツを抽出し、提示部１０５は、抽出されたコンテンツの一覧をユーザに提示する。【選択図】  図１
2005333583.tif 000002
【特許請求の範囲】
【請求項１】
少なくともコンテンツの再生機能および記録機能のいずれかを有する携帯型端末装置であって、
コンテンツに関する情報をコンテンツ情報として管理するコンテンツ管理部と、
携帯型端末装置のバッテリ残量を取得するバッテリ残量取得部と、
携帯型端末装置に備わる各機能を実施する際に必要となる電力量を電力プロファイルとして記憶する電力プロファイル記憶部と、
バッテリ残量と電力プロファイルに基づいて、最後まで再生または記録可能なコンテンツと最後まで再生または記録不可能なコンテンツをユーザが判別できるような態様でコンテンツ情報をユーザに提示する提示部とを備えた携帯型端末装置。
【請求項２】
前記携帯型端末装置は、バッテリ残量と電力プロファイルに基づいて、バッテリ残量の不足により最後まで再生または記録不可能だと予測されるコンテンツを除外したコンテンツの一覧を生成する一覧生成手段をさらに備え、
前記提示部は、前記一覧生成手段によって生成された一覧をユーザに提示するものであることを特徴とする、請求項１に記載の携帯型端末装置。
【請求項３】
前記携帯型端末装置は、前記バッテリ残量取得部によって取得されたバッテリ残量では最後まで再生または記録不可能だと予測されるコンテンツについて、電力プロファイルに基づいて当該コンテンツをどのくらい再生または記録することができるかを予測する予測部をさらに備え、
前記提示部は、コンテンツ情報とともに前記予測部の予測結果をユーザに提示することを特徴とする、請求項１に記載の携帯型端末装置。
【請求項４】
前記携帯型端末装置は、
複数のコンテンツの中からユーザに所望のコンテンツを選択させるコンテンツ選択部と、
ユーザが選択したコンテンツの再生または記録に係る電力量を電力プロファイルに基づいて計算する手段と、
バッテリ残量からユーザが選択したコンテンツの再生または記録に係る電力量を減算した値を自由バッテリ残量として算出する手段とをさらに備え、
前記提示部は、ユーザが複数のコンテンツの中からあるコンテンツを選択したときに、自由バッテリ残量と電力プロファイルに基づいて、最後まで再生または記録可能なコンテンツと最後まで再生または記録不可能なコンテンツをユーザが判別できるような態様で、ユーザが選択したコンテンツ以外のコンテンツのコンテンツ情報をユーザに提示することを特徴とする、請求項１に記載の携帯型端末装置。
【請求項５】
前記携帯型端末装置は、ユーザが複数のコンテンツの中からあるコンテンツを選択したときに、自由バッテリ残量と電力プロファイルに基づいて、ユーザが選択したコンテンツ以外のコンテンツから、自由バッテリ残量の不足により最後まで再生または記録不可能だと予測されるコンテンツを除いたコンテンツの一覧を生成する一覧生成手段をさらに備え、
前記提示部は、前記一覧生成手段によって生成された一覧をユーザに提示することを特徴とする、請求項４に記載の携帯型端末装置。
【請求項６】
前記携帯型端末装置は、ユーザが複数のコンテンツの中からあるコンテンツを選択したときに、ユーザが選択したコンテンツ以外のコンテンツのうち、自由バッテリ残量では最後まで再生または記録不可能だと予想されるコンテンツについて、電力プロファイルに基づいて当該コンテンツをどのくらい再生または記録することができるかを予測する予測部をさらに備え、
前記提示部は、コンテンツ情報とともに前記予測部の予測結果をユーザに提示することを特徴とする、請求項４に記載の携帯型端末装置。
【請求項７】
前記コンテンツが番組コンテンツであり、前記コンテンツ情報が番組情報であることを特徴とする、請求項１に記載の携帯型端末装置。
【発明の詳細な説明】
【技術分野】
【０００１】
本発明は、携帯型端末装置に関し、特に、バッテリを使用してテレビ視聴や各種映像・音楽の再生が可能な携帯型端末装置に関する。
【背景技術】
【０００２】
従来の携帯型端末装置として、バッテリ残量が低容量になった時に、ユーザに警告するものがある。また、バッテリ残量が低容量になった時に、携帯型端末装置の主たる機能の動作をより持続させるために、周辺の機能に対してその動作時間に制限をかけるようなものもある（特許文献１参照）。例えば、テレビ視聴機能付きの携帯電話において、バッテリ残量が低容量になった時に、携帯電話の周辺の機能であるテレビ視聴機能を無効にすることで、携帯電話の主たる機能である通話機能の持続を図ることができる。
【０００３】
図２０は、バッテリ残量が低容量になった時、その主たる機能の継続動作が可能となるように、周辺の機能に対してその動作時間に制限をかける携帯型端末装置の構成を示したものである。
【０００４】
図２０において、１０７は、バッテリを有し、携帯型端末装置に電源を供給する電源部である。１０６は、通話機能や、携帯型端末装置内部もしくは外部の記憶媒体に蓄積された映像・音楽を再生する再生機能や、記憶媒体へ映像・音楽を記録する記録機能や、テレビ・ラジオ受信機能といった種々の端末機能を提供する端末機能提供部である。１０１は、携帯型端末装置を制御するＣＰＵである。１０２は、端末機能提供部１０６が提供する端末機能を制御するプログラムや、そのプログラムの実行に必要となるデータを記憶するためのＲＡＭである。１０４は、ユーザの入力操作を受付ける入力部である。ユーザは、この入力部１０４を通じて、バッテリ残量が少ないときに動作制限する機能を指定することができる。１０３は、ユーザによって動作制限対象として指定された各機能に対応するバッテリ残量を記憶する記憶部である。１０５は、各種情報や、通話時の音声や、記憶媒体に蓄積された映像・音楽や、通信回線を通じて受信した映像・音楽などをユーザに提示する提示部である。
【０００５】
図２０の携帯型端末装置では、端末機能提供部１０６，ＣＰＵ１０１およびＲＡＭ１０２によって各端末機能が実現される。携帯型端末装置の使用時間に応じて電源部１０７のバッテリ残量が変化する。ユーザは、バッテリ残量が少ないときに動作制限する機能と、それらの各機能の動作制限を開始するバッテリ残量とを入力部１０４を用いて入力する。ユーザによって入力された各機能の動作制限を開始するバッテリ残量は記憶部１０３に記憶される。電源部１０７のバッテリの残量が、ユーザが入力した各機能のうちのいずれか機能の動作制限を開始するバッテリ残量に達した時に、その機能に対して動作制限が行われる。
【０００６】
ユーザには、各端末機能に応じて、提示部１０５によって音声、映像、音楽などの各種情報が提示される。バッテリ残量に応じて動作制限を受けている機能については、その制限の内容に応じて、音声、映像、音楽などの各種情報の提示が制限される。例えば、テレビ視聴機能が制限された場合には番組情報の表示が制限され、映像・音楽の視聴機能が制限された場合には、指定された各映像・音声フォーマットのコンテンツの情報提示が全て制限される。このように従来の携帯型端末装置では、携帯型端末装置のバッテリ残量に応じて周辺機能に制限をかけることで、主たる機能の継続動作を可能としている。
【特許文献１】特開２００１−１９７１９７号公報
【発明の開示】
【発明が解決しようとする課題】
【０００７】
しかしながら、上記の従来の携帯型端末装置は、単に、バッテリ残量が所定量にまで減ったときに端末機能を制限するものに過ぎないため、以下のような点で不便である。
【０００８】
例えば、主たる機能が記憶媒体に蓄積された映像コンテンツの再生機能である場合には、ユーザはバッテリ残量に関わらず映像コンテンツの再生を開始することができる。しかしながら、バッテリ残量が少ない状態でユーザが映画の視聴を開始した場合には、映画の途中でバッテリが切れてしまい、ユーザは不快な思いをすることになる。
【０００９】
また、記憶媒体に蓄積された映像コンテンツの再生機能が、バッテリ残量が少ないときの動作制限対象として指定されていた場合であっても、映画の途中でバッテリ残量が少なくなって所定量になれば、映像の再生機能が動作制限されてしまい、ユーザは不快な思いをすることになる。
【００１０】
上記のような事態を回避するには、ユーザが、映画の視聴を開始する前の段階で、その映画を最後まで視聴できるだけのバッテリ残量が存在するかどうかを判断する必要がある。しかしながら従来の携帯型端末装置では、通常、バッテリ残量を数段階で表したメータが画面に表示されているだけなので、このような大雑把な残量表示から上記判断を行うことは難しい。また、仮にバッテリ残量が画面に詳細に表示されたとしても、映像コンテンツを最後まで再生するのにどの程度の電力が必要なのかをユーザが正確に予測することは難しい。
【００１１】
それゆえに本発明は、現時点でのバッテリ残量でどのコンテンツが完全に提示可能なのかをユーザに通知することのできる携帯型端末装置を提供することを目的とする。
【課題を解決するための手段】
【００１２】
上記目的を達成するために、本発明は以下の構成を採用した。なお、括弧内の参照符号や図番号や補足説明は、本発明の理解を助けるために後述する実施形態との対応関係を示したものであって、本発明の範囲を何ら限定するものではない。
【００１３】
第１の発明は、少なくともコンテンツ（映像コンテンツ、音声コンテンツ、番組コンテンツ）の再生機能および記録機能のいずれかを有する携帯型端末装置であって、コンテンツに関する情報をコンテンツ情報として管理するコンテンツ管理部（１０８）と、携帯型端末装置のバッテリ残量を取得するバッテリ残量取得部（１０９）と、携帯型端末装置に備わる各機能を実施する際に必要となる電力量を電力プロファイル（図４）として記憶する電力プロファイル記憶部（１１０）と、バッテリ残量（Ｐａｌｌ）と電力プロファイル（図４）に基づいて、最後まで再生または記録可能なコンテンツと最後まで再生または記録不可能なコンテンツをユーザが判別できるような態様（図７，図１１，図１５，図１９）でコンテンツ情報をユーザに提示する提示部（１０５）とを備えた携帯型端末装置である。
【００１４】
第２の発明は、第１の発明において、前記携帯型端末装置は、バッテリ残量（Ｐａｌｌ）と電力プロファイル（図４）に基づいて、バッテリ残量の不足により最後まで再生または記録不可能だと予測されるコンテンツを除外したコンテンツの一覧（図７）を生成する一覧生成手段（１０１）をさらに備え、前記提示部は、前記一覧生成手段によって生成された一覧をユーザに提示するものであることを特徴とする。
【００１５】
第３の発明は、第１の発明において、前記携帯型端末装置は、前記バッテリ残量取得部によって取得されたバッテリ残量では最後まで再生または記録不可能だと予測されるコンテンツについて、電力プロファイル（図４）に基づいて当該コンテンツをどのくらい再生または記録することができるかを予測する予測部（１２０１）をさらに備え、前記提示部は、コンテンツ情報とともに前記予測部の予測結果をユーザに提示することを特徴とする（図１５）。
【００１６】
第４の発明は、第１の発明において、前記携帯型端末装置は、複数のコンテンツの中からユーザに所望のコンテンツを選択させるコンテンツ選択部（８０１，１６０３）と、ユーザが選択したコンテンツの再生または記録に係る電力量を電力プロファイル（図４）に基づいて計算する手段（１１１）と、バッテリ残量（Ｐａｌｌ）からユーザが選択したコンテンツの再生または記録に係る電力量を減算した値を自由バッテリ残量（Ｐｆｒｅｅ）として算出する手段（８０３，１１１）とをさらに備え、前記提示部は、ユーザが複数のコンテンツの中からあるコンテンツを選択したときに、自由バッテリ残量（Ｐｆｒｅｅ）と電力プロファイル（図４）に基づいて、最後まで再生または記録可能なコンテンツと最後まで再生または記録不可能なコンテンツをユーザが判別できるような態様で、ユーザが選択したコンテンツ以外のコンテンツのコンテンツ情報をユーザに提示することを特徴とする（図１１，図１９）。
【００１７】
第５の発明は、第４の発明において、前記携帯型端末装置は、ユーザが複数のコンテンツの中からあるコンテンツを選択したときに、自由バッテリ残量（Ｐｆｒｅｅ）と電力プロファイル（図４）に基づいて、ユーザが選択したコンテンツ以外のコンテンツから、自由バッテリ残量の不足により最後まで再生または記録不可能だと予測されるコンテンツを除いたコンテンツの一覧（図１１）を生成する一覧生成手段（１０１）をさらに備え、前記提示部は、前記一覧生成手段によって生成された一覧をユーザに提示することを特徴とする。
【００１８】
第６の発明は、第４の発明において、前記携帯型端末装置は、ユーザが複数のコンテンツの中からあるコンテンツを選択したときに、ユーザが選択したコンテンツ以外のコンテンツのうち、自由バッテリ残量（Ｐｆｒｅｅ）では最後まで再生または記録不可能だと予想されるコンテンツについて、電力プロファイル（図４）に基づいて当該コンテンツをどのくらい再生または記録することができるかを予測する予測部（１２０１）をさらに備え、前記提示部は、コンテンツ情報とともに前記予測部の予測結果をユーザに提示することを特徴とする（図１５）。
【００１９】
第７の発明は、第１の発明において、前記コンテンツが番組コンテンツであり、前記コンテンツ情報が番組情報であることを特徴とする。
【発明の効果】
【００２０】
本発明によれば、ユーザにコンテンツ情報を提示する際に、その時点におけるバッテリ残量で最後まで再生または記録可能なコンテンツと最後まで再生または記録不可能なコンテンツをユーザが判別できるような態様でコンテンツ情報が提示されるため、バッテリ残量の不足によってユーザの意図に反してコンテンツの再生または記録が中断してしまう事態を回避できる。
【発明を実施するための最良の形態】
【００２１】
以下、図面を参照しながら、本発明の種々の実施形態を説明する。
【００２２】
（第１の実施形態）
図１は、本発明の第１の実施形態に係る携帯型端末装置の構成図である。図１において、ＣＰＵ１０１，ＲＡＭ１０２，記憶部１０３，入力部１０４，提示部１０５，端末機能提供部１０６および電源部１０７については図２０の従来の携帯型端末装置と同様であるので、説明を省略する。
【００２３】
コンテンツ管理部１０８は、記憶媒体に蓄積された映像・音声コンテンツを、その付属情報（例えば、画像圧縮方式の種類や、再生時間などの情報）とともに管理する。バッテリ残量取得部１０９は、携帯型端末装置のバッテリ残量（実際のバッテリ残量もしくは後述する自由バッテリ残量）を取得する。電力プロファイル記憶部１１０は、携帯型端末装置に備わる各機能を実施する際に必要となる単位時間当たりの電力量を記憶する。バッテリ使用可能時間予測部１１１は、携帯型端末装置に備わる任意の機能の実施可能時間を予測する。
【００２４】
以下、携帯型端末装置の処理の流れを図２のフローチャートを参照して説明する。
【００２５】
まずＣＰＵ１０１は、コンテンツ管理部１０８が管理しているコンテンツの付属情報に基づいて、携帯型端末装置の内部または外部の記憶媒体に記憶されている全コンテンツの一覧を生成し、この一覧を提示部１０５によってユーザに提示する（Ｓ２０１）。ここでは、記憶媒体に記憶され、コンテンツ管理部１０８によって管理されているコンテンツが、コンテンツＡ〜Ｆの６つ存在するものとする。
【００２６】
コンテンツＡは、画像圧縮方式がＭＰＥＧ４で再生時間が２７分である映像コンテンツである。
コンテンツＢは、画像圧縮方式がＭＰＥＧ４で再生時間が１５分である映像コンテンツである。
コンテンツＣは、画像圧縮方式がＭＰＥＧ２で再生時間が９０分である映像コンテンツである。
コンテンツＤは、画像圧縮方式がＭＰＥＧ２で再生時間が６０分である映像コンテンツである。
コンテンツＥは、画像圧縮方式がＭＰＥＧ４で再生時間が７０分である映像コンテンツである。
コンテンツＦは、画像圧縮方式がＭＰＥＧ４で再生時間が２８分である映像コンテンツである。
なお、ＭＰＥＧ４およびＭＰＥＧ２の音声圧縮方式はＡＡＣであるとする。
【００２７】
ステップＳ２０１での提示部１０５による画面表示例を図３に示す。画面にはコンテンツＡ〜Ｅのコンテンツ情報が表示されている。画面左側の黒菱形の表示は、上下方向に画面のスクロールが可能であることを示している。ユーザは、入力部１０４を用いて画面スクロール指示を入力することによって、記憶媒体に記録されているが画面に現在表示されていないコンテンツのコンテンツ情報（ここではコンテンツＦのコンテンツ情報）を確認することができる。携帯型端末装置の表示画面は一般的に小さいため、記憶媒体に記録されているコンテンツの一覧を一画面で表示しようとすると視認性が低下するが、本実施形態のように画面のスクロールを利用することによって、コンテンツの一覧を見やすく表示することができる。
【００２８】
ユーザは、ステップＳ２０１での一覧表示を参考にして、入力部１０４に用意されている操作メニューを用いて、利用したい携帯型端末装置の機能を選択する（Ｓ２０２）。ここで選択する機能の例としては、ＭＰＥＧ４の再生機能や、ＷＭＡの再生機能や、ＷＭＡの記録機能が挙げられる。ここではユーザがＭＰＥＧ４の再生機能を選択したものとして、以下の説明を行う。
【００２９】
バッテリ残量取得部１０９は、携帯型端末装置のバッテリ残量Ｐａｌｌを取得する（Ｓ２０３）。ここでは、バッテリ残量取得部１０９によって取得されたバッテリ残量が、ＭＰＥＧ４（ＡＡＣ）で符号化されたコンテンツを３０分間再生可能なバッテリ残量であったとして、以下の説明を行う。
【００３０】
バッテリ使用可能時間予測部１１１は、ステップＳ２０３で取得されたバッテリ残量（Ｐａｌｌ）に基づいて、ステップＳ２０２で選択された機能（ＭＰＥＧ４の再生機能）の実施可能時間を計算する（Ｓ２０４）。以下、このステップＳ２０４の処理をより詳細に説明する。
【００３１】
電力プロファイル記憶部１１０には、図４のような電力プロファイルが記録されている。この電力プロファイルは、携帯型端末装置の各機能（細分化された機能）と、その機能の実施に必要となる単位時間（ここでは１分とする）当たりの電力量が記録されている。例えば、ＬＥＤ表示に係る単位時間当たりの消費電力量はＰ１であり、オーディオ出力に係る単位時間当たりの消費電力量はＰ２である。電力量は、測定等によって予め求めて記録しておく。
【００３２】
バッテリ使用可能時間予測部１１１は、上記電力プロファイルに基づいて、ステップＳ２０２でユーザによって選択された機能（ＭＰＥＧ４の再生機能）を実施するのに必要な単位時間当たりの電力量を計算する。ＭＰＥＧ４の再生には、図４の電力プロファイルに列挙されている細分化された機能のうち、ＬＣＤ表示，オーディオ出力，制御系動作，記憶媒体データ読み書き，ＭＰＥＧ−４デコードおよびＡAＣデコードが必要となる。したがって、ＭＰＥＧ４の再生機能の実施に必要な単位時間当たりの電力量は、図４の電力プロファイルから、Ｐ１＋Ｐ２＋Ｐ３＋Ｐ４＋Ｐ８＋Ｐ１０となる。なお、バッテリ使用可能時間予測部１１１は、ステップＳ２０２でユーザによって選択された機能の実施に利用される細分化された機能を、例えば図５のようなテーブルを参照して判断することができる。図５のテーブルによれば、例えばＷＭＡの再生には、ＬＣＤ表示，オーディオ出力，制御系動作，記憶媒体データ読み書きおよびＷＭＡデコードが必要となることが分かる。
【００３３】
なお、バッテリ使用可能時間予測部１１１は、ステップＳ２０２でユーザによって選択された機能を実施するのに必要な単位時間当たりの電力量を計算する際に、図４のような電力プロファイルおよび図５のようなテーブルを用いる替わりに、図６のようなテーブルを用いてもよい。図６のテーブルには、ステップＳ２０２でユーザによって選択される各機能の単位時間当たりの消費電力量が予め記録されている。なお、図４のように細分化された機能毎の単位時間当たりの電力量を保持する構成の方が、ステップＳ２０２でユーザが選択可能な機能が追加された場合にも比較的容易に対応できるという点では有利である。
【００３４】
上記のようにして計算したＭＰＥＧ４の再生機能に係る単位時間当たりの消費電力量（Ｐ１＋Ｐ２＋Ｐ３＋Ｐ４＋Ｐ８＋Ｐ１０）と、現在のバッテリ残量Ｐａｌｌとから、ＭＰＥＧ４の再生可能時間がＰａｌｌ／（Ｐ１＋Ｐ２＋Ｐ３＋Ｐ４＋Ｐ８＋Ｐ１０）と計算される。ここでは、Ｐａｌｌ／（Ｐ１＋Ｐ２＋Ｐ３＋Ｐ４＋Ｐ８＋Ｐ１０）＝３０（分）だったとして、以下の説明を行う。
【００３５】
次にＣＰＵ１０１は、ステップＳ２０１で一覧表示したコンテンツの中から、画像圧縮方式がＭＰＥＧ４であって、再生時間がステップＳ２０４で計算された再生可能時間（３０分）よりも短いコンテンツを抽出し、抽出したコンテンツの一覧を作成する（Ｓ２０５）。ここではコンテンツＡ，コンテンツＢおよびコンテンツＦが抽出されることとなる。
【００３６】
次にＣＰＵ１０１は、ステップＳ２０５で作成した一覧を、提示部１０５によってユーザに提示する（Ｓ２０６）。ステップＳ２０６での提示部１０５による画面表示例を図７に示す。画面にはコンテンツＡ，Ｂ，Ｆのコンテンツ情報が表示されている。画面左側の白菱形の表示は、画面のスクロールが不可能であることを示している。これにより、この時点で再生可能なコンテンツが、画面に表示されたコンテンツ（すなわちコンテンツＡ，Ｂ，Ｆ）だけだということが分かる。ユーザは、この一覧の中から所望のコンテンツを選択して再生することによって、そのコンテンツを、途中でバッテリが切れることなく最後まで確実に視聴することができる。
【００３７】
なお、本実施形態では、ステップＳ２０２におけるユーザによる機能選択を受けて、その時点で最後まで再生可能なコンテンツを抽出して一覧表示するとしたが、本発明はこれに限らず、任意の時点で、その時点で最後まで再生可能なコンテンツを抽出して一覧表示するようにしてもよい。例えば、ステップＳ２０１のように、記憶媒体に記憶されている全コンテンツの一覧を画面に表示するときに、その時点で最後まで再生可能なコンテンツを抽出し、そのコンテンツ情報を表示するようにしてもよい。
【００３８】
また、本実施形態では、ステップＳ２０６で、その時点で最後まで再生可能なコンテンツだけから成る一覧を表示するとしたが、本発明はこれに限らず、少なくともその時点で最後まで再生可能なコンテンツとその他のコンテンツをユーザが明確に区別できるように表示しさえすればよい。例えば、その時点で最後まで再生可能なコンテンツのコンテンツ情報は黒字で表示し、その他のコンテンツのコンテンツ情報は赤字で表示するようにしてもよい。または、その時点で最後まで再生することが不可能なコンテンツについては、コンテンツ情報とともに、そのコンテンツを最後まで再生することが不可能である旨のコメントを表示するようにしてもよい。ただし、携帯型端末装置の表示画面は前述のように一般的に小さいため、本実施形態のように、その時点で最後まで再生可能なコンテンツだけを一覧表示した方が、ユーザはその時点で最後まで再生可能なコンテンツの中から所望のコンテンツを選択し易くなり、操作感の向上に大いに役立つ。
【００３９】
以上のように、第１の実施形態によれば、ユーザにコンテンツを選択させるためのコンテンツの一覧が、その時点におけるバッテリ残量で最後まで再生可能なコンテンツに絞られた状態でユーザに提示される。したがって、ユーザがコンテンツを選択して再生する場合に、コンテンツの選択画面に無駄な選択候補（すなわち最後まで再生不可能なコンテンツ）が表示されないため、携帯型端末装置の小さい画面でもコンテンツ選択時の操作性が向上する。
【００４０】
（第２の実施形態）
図８は、本発明の第２の実施形態に係る携帯型端末装置の構成図である。なお図８において、図１と同様の構成には同一の参照符号を付し、説明を省略する。
【００４１】
コンテンツ選択部８０１は、ユーザに所望のコンテンツを選択させる。より具体的には、例えば、提示部１０５にカーソルと各コンテンツに対応するアイコンを表示しておき、入力部１０４（方向キーなど）を用いてユーザにカーソルを操作させ、所望のコンテンツのアイコンを選択させる。
【００４２】
電力量計算部８０２は、ユーザがコンテンツを選択したときに、このコンテンツを提示するのに必要な電力量を、このコンテンツのコンテンツ情報と電力プロファイル記憶部１１０に記録されている電力プロファイルとを参照して計算する。
【００４３】
バッテリ残量取得部８０３は、電力量計算部８０２の計算結果に基づいて、ユーザが選択した全てのコンテンツを提示するのに必要な電力量を予約電力量として算出し、その時点での実際のバッテリ残量から予約電力量を差し引いたバッテリ残量を自由バッテリ残量として取得する。ユーザが選択した全てのコンテンツを提示するのに必要な電力量が、その時点での実際のバッテリ残量よりも大きい場合は、自由バッテリ残量は負の値となる。この場合、自由バッテリ残量の絶対値は、不足電力量を意味する。
【００４４】
以下、携帯型端末装置の処理の流れを図９のフローチャートを参照して説明する。
【００４５】
まずバッテリ残量取得部８０３は、ユーザによりコンテンツが選択される前の携帯型端末装置のバッテリ残量Ｐａｌｌを取得する（Ｓ９０１）。
【００４６】
コンテンツ選択部８０１は、提示部１０５によってコンテンツの一覧をユーザに提示し、所望のコンテンツをユーザに選択させる（Ｓ９０２）。ここでは、記憶媒体に記憶され、コンテンツ管理部１０８によって管理されているコンテンツが、コンテンツＧ〜Ｌの６つ存在するものとする。
【００４７】
コンテンツＧは、画像圧縮方式がＭＰＥＧ４で再生時間が１７分である映像コンテンツである。
コンテンツＨは、音声圧縮方式がＷＭＡで再生時間が１５分である音楽コンテンツである。
コンテンツＩは、画像圧縮方式がＭＰＥＧ２で再生時間が１０分である映像コンテンツである。
コンテンツＪは、音声圧縮方式がＭＰ３で再生時間が６０分である音楽コンテンツである。
コンテンツＫは、画像圧縮方式がＭＰＥＧ４で再生時間が７０分である映像コンテンツである。
コンテンツＬは、音声圧縮方式がＭＰ３で再生時間が８０分である音楽コンテンツである。
なお、ＭＰＥＧ４およびＭＰＥＧ２の音声圧縮方式はＡＡＣであるとする。
【００４８】
ステップＳ９０２での提示部１０５による画面表示例を図１０に示す。画面にはコンテンツＧ〜Ｋのコンテンツ情報が表示されている。画面左側の黒菱形の表示は、上下方向に画面のスクロールが可能であることを示している。ユーザは、入力部１０４を用いて画面スクロール指示を入力することによって、記憶媒体に記録されているが画面に現在表示されていないコンテンツのコンテンツ情報（ここではコンテンツＬのコンテンツ情報）を確認することができる。携帯型端末装置の表示画面は一般的に小さいため、記憶媒体に記録されているコンテンツの一覧を一画面で表示しようとすると視認性が低下するが、本実施形態のように画面のスクロールを利用することによって、コンテンツの一覧を見やすく表示することができる。
【００４９】
ユーザは、図１０の一覧表示を参考にして、入力部１０４によって所望のコンテンツを選択する。ここではユーザがコンテンツＪを選択したものとして、以下の説明を行う。
【００５０】
電力量計算部８０２は、ステップＳ９０２でユーザによって選択されたコンテンツ（ここではコンテンツＪ）を最後まで再生するのに必要となる電力量を、電力プロファイル記憶部１１０に記録されている電力プロファイルに基づいて計算する（Ｓ９０３）。コンテンツＪの再生には、図４の電力プロファイルに列挙されている細分化された機能のうち、ＬＣＤ表示，オーディオ出力，制御系動作，記憶媒体データ読み書きおよびＭＰ３デコードが必要となる。したがって、コンテンツＪの再生に必要な単位時間当たりの電力量は、図４の電力プロファイルから、Ｐ１＋Ｐ２＋Ｐ３＋Ｐ４＋Ｐ１４となる。コンテンツＪを最後まで再生するのに必要な時間が６０分であることから、コンテンツＪを最後まで再生するのに必要となる電力量は、（Ｐ１＋Ｐ２＋Ｐ３＋Ｐ４＋Ｐ１４）×６０となる。
【００５１】
以下の処理では、実際のバッテリ残量からステップＳ９０３で計算した電力量（予約電力量）を除いたバッテリ残量（自由バッテリ残量）が算出され、この自由バッテリ残量で最後まで再生可能なコンテンツが抽出されて、コンテンツＪの次の選択候補としてユーザに提示されることとなる。
【００５２】
バッテリ残量取得部８０３は、ステップＳ９０１で取得した実際のバッテリ残量からステップＳ９０３で計算した予約電力量を減算することにより、自由バッテリ残量Ｐｆｒｅｅを計算する（Ｓ９０４）。ここでは、Ｐｆｒｅｅ＝Ｐａｌｌ−（Ｐ１＋Ｐ２＋Ｐ３＋Ｐ４＋Ｐ１３）×６０となる。なお、ステップＳ９０３で計算したＰｆｒｅｅが負の値となった場合には、ユーザに対して、バッテリ残量が不足しているためステップＳ９０２でユーザが選択したコンテンツを最後まで再生できない旨の通知を行う。
【００５３】
バッテリ使用可能時間予測部１１１は、ステップＳ９０４で計算した自由バッテリ残量Ｐｆｒｅｅに基づいて、コンテンツ種別（ＭＰＥＧ２，ＭＰＥＧ４，ＷＭＡ，ＭＰ３など）毎の再生可能時間を計算する（Ｓ９０５）。コンテンツ種別毎の再生可能時間は、図４の電力プロファイルに基づいて、以下の演算によって求めることができる。
ＭＰＥＧ２：Ｐｆｒｅｅ／（Ｐ１＋Ｐ２＋Ｐ３＋Ｐ４＋Ｐ６＋Ｐ１０）
ＭＰＥＧ４：Ｐｆｒｅｅ／（Ｐ１＋Ｐ２＋Ｐ３＋Ｐ４＋Ｐ８＋Ｐ１０）
ＷＭＡ    ：Ｐｆｒｅｅ／（Ｐ１＋Ｐ２＋Ｐ３＋Ｐ４＋Ｐ１２）
ＭＰ３    ：Ｐｆｒｅｅ／（Ｐ１＋Ｐ２＋Ｐ３＋Ｐ４＋Ｐ１４）
【００５４】
ここでは、ステップＳ９０５の計算の結果、ＭＰＥＧ２コンテンツの再生可能時間が１５分、ＭＰＥＧ４コンテンツの再生可能時間が３０分、ＷＭＡコンテンツの再生可能時間が１７分、ＭＰ３コンテンツの再生可能時間が２０分と求められたものとして、以下の説明を行う。
【００５５】
ＣＰＵ１０１は、ステップＳ９０５で計算したコンテンツ種別毎の再生可能時間に基づいて、自由バッテリ残量Ｐｆｒｅｅで最後まで再生可能なコンテンツを次の選択候補として抽出して、コンテンツ管理部１０８に記憶されているコンテンツ情報を用いてその一覧を作成する（Ｓ９０６）。ここでは、自由バッテリ残量Ｐｆｒｅｅで最後まで再生可能なコンテンツとして、コンテンツＧ，コンテンツＨおよびコンテンツＩの３つのコンテンツが抽出される。
【００５６】
次にＣＰＵ１０１は、ステップＳ９０６で作成した次の選択候補の一覧を、提示部１０５によってユーザに提示する（Ｓ９０７）。ステップＳ９０７での提示部１０５による画面表示例を図１１に示す。画面にはコンテンツＧ，Ｈ，Ｉのコンテンツ情報が表示されている。画面左側の白菱形の表示は、画面のスクロールが不可能であることを示している。これにより、この時点でコンテンツＪに加えて最後まで再生可能なコンテンツが、画面に表示されたコンテンツ（すなわちコンテンツＧ，Ｈ，Ｉ）だけだということが分かる。ユーザは、コンテンツＪに加えてさらにこの一覧の中から所望のコンテンツを選択し、これらのコンテンツを連続して再生することができる。この場合にも、ユーザは、選択した複数のコンテンツを、途中でバッテリが切れることなく最後まで確実に視聴することができる。
【００５７】
なお、本実施形態ではユーザが２つのコンテンツを選択する場合について説明したが、ステップＳ９０７の後、再びステップＳ９０２に戻ってステップＳ９０２からステップＳ９０７の処理を繰り返すことによって、３つ以上のコンテンツを選択することができる。
【００５８】
なお、本実施形態では、ステップＳ９０７で、最後まで再生可能なコンテンツだけから成る一覧を次の選択候補として表示するとしたが、本発明はこれに限らず、少なくとも最後まで再生可能なコンテンツとその他のコンテンツをユーザが明確に区別できるように表示しさえすればよい。例えば、最後まで再生可能なコンテンツのコンテンツ情報は黒字で表示し、その他のコンテンツのコンテンツ情報は赤字で表示するようにしてもよい。または、最後まで再生することが不可能なコンテンツについては、コンテンツ情報とともに、そのコンテンツを最後まで再生することが不可能である旨のコメントを表示するようにしてもよい。ただし、携帯型端末装置の表示画面は前述のように一般的に小さいため、本実施形態のように、最後まで再生可能なコンテンツだけを一覧表示した方が、ユーザは最後まで再生可能なコンテンツの中から所望のコンテンツを選択し易くなり、操作感の向上に大いに役立つ。
【００５９】
以上のように、第２の実施形態によれば、ユーザがコンテンツを選択すると、そのコンテンツを最後まで提示するのに必要な電力量が予約電力量としてバッテリ残量から確保され、続いて、次の選択候補が、実際のバッテリ残量から予約電力量を除いた自由電力量で最後まで再生可能なコンテンツに絞られた状態でユーザに提示される。したがって、ユーザが複数のコンテンツを選択して再生する場合に、コンテンツの選択画面に無駄な選択候補（すなわち最後まで再生不可能なコンテンツ）が表示されないため、携帯型端末装置の小さい画面でもコンテンツ選択時の操作性が向上する。
【００６０】
（第３の実施形態）
図１２は、本発明の第３の実施形態に係る携帯型端末装置の構成図である。なお図１２において、図１または図８と同様の構成には同一の参照符号を付し、説明を省略する。
【００６１】
コンテンツ提示時間予測部１２０１は、ユーザが選択したコンテンツがその時点のバッテリ残量では最後まで提示不可能な場合に、その時点のバッテリ残量でそのコンテンツをどのくらい（例えば全体のうちの何％、もしくは再生開始から何分まで）提示することができるかを予測する。
【００６２】
以下、携帯型端末装置の処理の流れを図１３のフローチャートを参照して説明する。
【００６３】
まずバッテリ残量取得部８０３は、ユーザによりコンテンツが選択される前の携帯型端末装置のバッテリ残量Ｐａｌｌを取得する（Ｓ１３０１）。
【００６４】
コンテンツ選択部８０１は、提示部１０５によってコンテンツの一覧をユーザに提示し、所望のコンテンツをユーザに選択させる（Ｓ１３０２）。ここでは、記憶媒体に記憶され、コンテンツ管理部１０８によって管理されているコンテンツが、コンテンツＭ〜Ｒの６つ存在するものとする。
【００６５】
ステップＳ１３０２での提示部１０５による画面表示例を図１４に示す。画面にはコンテンツＭ〜Ｑのコンテンツ情報が表示されている。画面左側の黒菱形の表示は、上下方向に画面のスクロールが可能であることを示している。ユーザは、入力部１０４を用いて画面スクロール指示を入力することによって、記憶媒体に記録されているが画面に現在表示されていないコンテンツのコンテンツ情報（ここではコンテンツＲのコンテンツ情報）を確認することができる。携帯型端末装置の表示画面は一般的に小さいため、記憶媒体に記録されているコンテンツの一覧を一画面で表示しようとすると視認性が低下するが、本実施形態のように画面のスクロールを利用することによって、コンテンツの一覧を見やすく表示することができる。
【００６６】
ユーザは、図１４の一覧表示を参考にして、入力部１０４によって所望のコンテンツを選択する。ここではユーザがコンテンツＭを選択したものとして、以下の説明を行う。
【００６７】
電力量計算部８０２は、ステップＳ１３０２でユーザによって選択されたコンテンツ（ここではコンテンツＭ）を最後まで再生するのに必要となる電力量を、電力プロファイル記憶部１１０に記録されている電力プロファイルに基づいて計算する（Ｓ１３０３）。コンテンツＭの再生には、図４の電力プロファイルに列挙されている細分化された機能のうち、ＬＣＤ表示，オーディオ出力，制御系動作，記憶媒体データ読み書き，ＭＰＥＧ４デコードおよびＡＡＣデコードが必要となる。したがって、コンテンツＭの再生に必要な単位時間当たりの電力量は、図４の電力プロファイルから、Ｐ１＋Ｐ２＋Ｐ３＋Ｐ４＋Ｐ８＋Ｐ１０となる。コンテンツＭを最後まで再生するのに必要な時間が８０分であることから、コンテンツＭを最後まで再生するのに必要となる電力量は、（Ｐ１＋Ｐ２＋Ｐ３＋Ｐ４＋Ｐ１４）×８０となる。
【００６８】
バッテリ残量取得部８０３は、ステップＳ１３０１で取得した実際のバッテリ残量からステップＳ１３０３で計算した電力量（予約電力量）を減算することにより、自由バッテリ残量Ｐｆｒｅｅを計算する（Ｓ１３０４）。ここでは、Ｐｆｒｅｅ＝Ｐａｌｌ−（Ｐ１＋Ｐ２＋Ｐ３＋Ｐ４＋Ｐ８＋Ｐ１０）×８０となる。以下、この自由バッテリ残量Ｐｆｒｅｅが負の値となったと場合の処理を説明する。なお、Ｐｆｒｅｅが正の値となったときには、図９のステップＳ９０５以降の処理が行われる。
【００６９】
自由バッテリ残量Ｐｆｒｅｅが負の値となった場合、コンテンツ提示時間予測部１２０１は、ステップＳ１３０２でユーザによって選択されたコンテンツ（ここではコンテンツＭ）の提示可能時間を予測する（Ｓ１３０５）。コンテンツＭの再生に必要な単位時間当たりの電力量はＰ１＋Ｐ２＋Ｐ３＋Ｐ４＋Ｐ８＋Ｐ１０であり、実際のバッテリ残量はＰａｌｌであるので、コンテンツＭの提示可能時間はＰａｌｌ／（Ｐ１＋Ｐ２＋Ｐ３＋Ｐ４＋Ｐ８＋Ｐ１０）と予測される。ここではＰａｌｌ／（Ｐ１＋Ｐ２＋Ｐ３＋Ｐ４＋Ｐ８＋Ｐ１０）＝４０（分）であったとする。この場合、コンテンツＭの再生時間は８０分であるため、現時点でのバッテリ残量ではコンテンツＭ全体の５０％だけが提示可能ということになる。
【００７０】
ＣＰＵ１０１は、ステップＳ１３０２でユーザによって選択されたコンテンツ（ここではコンテンツＭ）のコンテンツ情報を、ステップＳ１３０５で計算した提示可能時間とともに表示する（Ｓ１３０６）。ステップＳ１３０６での提示部１０５による画面表示例を図１５に示す。
【００７１】
以上のように、第３の実施形態によれば、その時点でのバッテリ残量ではユーザが選択したコンテンツを最後まで提示できない場合に、その提示可能時間がユーザに提示される。その結果、ユーザは、選択したコンテンツをどのくらいまで楽しむことができるのかが予め分かるため、コンテンツを視聴するかどうかの判断に大いに役立つ。なお、ユーザが選択したコンテンツを最後まで提示できない場合に、ユーザが、再生区間を指定して再生したり、早送り再生したりできるようなユーザインタフェースを設けることで、コンテンツを最初から最後まで再生する時間がなくてもコンテンツを効果的に楽しむことができるようになる。
【００７２】
（第４の実施形態）
図１６は、本発明の第４の実施形態に係る携帯型端末装置の構成図である。なお図１６において、図１と同様の構成には同一の参照符号を付し、説明を省略する。
【００７３】
チューナー部１６０１は、地上波デジタルテレビ・ラジオ放送を受信する。また、チューナー部１６０１は各放送の番組情報のデータも受信できる。電子番組情報管理部１６０２は、チューナー部１６０１または端末機能提供部１０６のインターネット接続機能を利用して外部より取得した電子番組情報（ＥＰＧ）を蓄積管理する。この電子番組情報は、ユーザが番組の視聴や録画を行うときのガイド情報として用いられる。記録番組選択部１６０３は、提示部１０５にて提示された電子番組情報に基づいて、入力部１０４（方向キーなど）を用いてユーザに所望の番組を選択させる。記録モード選択部１６０４は、チューナー部１６０１で受信した番組を携帯型端末装置の内部または外部の記憶媒体に記録するときの圧縮方式や録画モードの選択を行う。
【００７４】
以下、携帯型端末装置の処理の流れを図１７のフローチャートを参照して説明する。
【００７５】
まずバッテリ残量取得部１０９は、ユーザが録画したい番組を決定する前の携帯型端末装置のバッテリ残量Ｐａｌｌを取得する（Ｓ１７０１）。
【００７６】
ＣＰＵ１０１は、チューナー部１６０１にて入手した番組情報、もしくは端末機能提供部１０６を用いてインターネットから取得した番組情報を提示部１０５によってユーザに提示する（Ｓ１７０２）。ステップＳ１７０２での提示部１０５による画面表示例を図１８に示す。図１８は、１８：００の時点で放送局Ａの１８：００〜２１：００までの番組情報を表示したときの画面表示例である。画面には、番組Ａ〜番組Ｇの７つの番組の情報が表示されている。携帯型端末装置の小さな画面では一度に表示できる情報量が限られるため、図１８の例では、放送局名（もしくはチャンネル番号）、各番組の開始時刻、各番組名といった最低限必要と思われる情報だけを表示している。もちろん、入力部１０４からのユーザの指示に応じて各番組の詳細を表示するようにしてもよい。画面左側の黒菱形の表示は、上下方向に画面のスクロールが可能であることを示している。ユーザは、入力部１０４を用いて画面スクロール指示を入力することによって、画面に現在表示されていない番組情報（例えば放送局Ｂの番組情報）を確認することができる。
【００７７】
記録モード選択部１６０４は、入力部１０４を用いてユーザに記録モードを選択させる（Ｓ１７０３）。ここでは、ユーザが高画質モードを選択したものとして、以下の説明を行う。
【００７８】
記録番組選択部１６０３は、入力部１０４を用いてユーザに番組を選択させる（Ｓ１７０４）。ここでは、ユーザが番組Ｂを選択したものとして、以下の説明を行う。
【００７９】
バッテリ使用可能時間予測部１１１は、ステップＳ１７０１で取得されたバッテリ残量で、ステップＳ１７０４でユーザが選択した番組を最後まで録画することが可能かどうかを判定する。以下、この判定処理の詳細を説明する。
【００８０】
まずバッテリ使用可能時間予測部１１１は、電子番組情報管理部１６０２で管理されている番組情報から、ユーザが選択した番組（ここでは番組Ｂ）の放映時間を取得する。番組Ｂの放映時間は５６分である。
【００８１】
次にバッテリ使用可能時間予測部１１１は、ステップＳ１７０３でユーザが選択した記録モード（ここでは高画質モード）に基づいて、番組の録画に必要な単位時間当たりの電力量を計算する。高画質モードでは、映像の記録に「ＭＰＥＧ２エンコード（Ｈｉｇｈ  Ｒａｔｅ）」が使用され、音声の記録に「ＡＡＣエンコード」が使用されるものとする。高画質モードでの番組の録画には、図４の電力プロファイルに列挙されている細分化された機能のうち、ＬＣＤ表示，オーディオ出力，制御系動作，記憶媒体データ読み書き，ＭＰＥＧ２エンコード（Ｈｉｇｈ  Ｒａｔｅ）およびＡAＣエンコードが必要となる。よって、高画質モードでの番組録画に必要な単位時間当たりの電力量は、図４の電力プロファイルから、Ｐ１＋Ｐ２＋Ｐ３＋Ｐ４＋Ｐ５ａ＋Ｐ９となる。
【００８２】
上記のようにして計算した高画質モードでの番組録画に必要な単位時間当たりの電力量Ｐ１＋Ｐ２＋Ｐ３＋Ｐ４＋Ｐ５ａ＋Ｐ９と、ステップＳ１７０１で取得されたバッテリ残量Ｐａｌｌとから、高画質モードで録画可能な時間がＰａｌｌ／（Ｐ１＋Ｐ２＋Ｐ３＋Ｐ４＋Ｐ５ａ＋Ｐ９）と計算される。ここでは、Ｐａｌｌ／（Ｐ１＋Ｐ２＋Ｐ３＋Ｐ４＋Ｐ５ａ＋Ｐ９）＝７６（分）だったとして、以下の説明を行う。
【００８３】
ユーザが選択した番組Ｂの放映時間（５６分）が高画質モードで録画可能な時間（７６分）を超えていないため、バッテリ使用可能時間予測部１１１は、番組Ｂを最後まで録画することが可能であると判定する。なお、高画質モードで録画可能な時間（７６分）からユーザが選択した番組Ｂの放映時間（５６分）を減算することによって、番組Ｂの他にさらに２０分間、高画質モードでの番組録画が可能であることが分かる。
【００８４】
提示部１０５は、ステップＳ１７０５の判定結果に基づいて表示画面を更新する。その結果、表示画面は図１８から図１９のように変化する。図１９の例では、記録モードが高画質モードに設定されていることが表示されている。また、番組Ｂが最後まで録画可能であることが、網掛け表示によってユーザに示されている。また、番組Ｂの録画に加えてさらに録画可能な番組が存在する場合には、次に録画可能な番組の候補として、その番組の情報が強調表示（下線や太字など）される。ここでは、上記のように、番組Ｂの他にさらに２０分間、高画質モードでの番組録画が可能であるため、放映時間が２０分以内である番組（番組Ｃ，Ｄ，Ｆ）の番組情報が下線によって強調表示されている。このような強調表示により、ユーザは、番組Ｂの他にも録画したい番組が存在する場合に、どの番組が最後まで録画可能であるかを容易に知ることができる。
【００８５】
なお、本実施形態では、ステップＳ１７０６で、番組Ｂの録画に加えてさらに録画可能な番組の情報を強調表示するとしたが、本発明はこれに限らず、少なくとも番組Ｂの録画に加えてさらに録画可能な番組とその他の番組をユーザが明確に区別できるように表示しさえすればよい。例えば、番組Ｂの録画に加えてさらに録画可能な番組の情報は黒字で表示し、その他の番組の情報は赤字で表示するようにしてもよい。または、番組Ｂの録画に加えてさらに録画可能な番組だけを抽出してその番組情報を表示するようにしてもよい。これにより、番組Ｂの録画に加えてさらに録画可能な番組だけが画面に表示されるため、携帯型端末装置の小さい画面を有効利用することができ、操作感の向上に大いに役立つ。
【００８６】
以上のように、第４の実施形態によれば、ユーザが録画したい番組を選択したときに、その番組が最後まで録画可能かどうかがユーザに提示されるため、バッテリ残量の不足によってユーザの意図に反して番組録画が中断してしまう事態を回避できる。また、ユーザが録画したい番組を選択したときに、その番組に加えてさらに録画可能な番組が明示されるため、ユーザは、その表示に従って複数の番組を選択しさえすれば、複数の番組を録画するときにバッテリ残量の不足によってユーザの意図に反していずれかの番組の途中で録画が中断してしまう事態を回避できる。
【産業上の利用可能性】
【００８７】
本発明は、例えば、携帯電話やＰＤＡや多機能カメラなどのバッテリで駆動する携帯型情報端末において、記憶媒体に蓄積された映像・音声コンテンツの中からユーザが所望のコンテンツを選択して楽しむ用途に好適である。
【図面の簡単な説明】
【００８８】
【図１】第１の実施形態に係る携帯型端末装置の構成図
【図２】第１の実施形態の処理の流れを示すフローチャート
【図３】第１の実施形態の表示例を示す図
【図４】電力プロファイルの一例を示す図
【図５】第１の実施形態で利用可能なテーブルの一例を示す図
【図６】電力プロファイルの変形例を示す図
【図７】第１の実施形態の他の表示例を示す図
【図８】第２の実施形態に係る携帯型端末装置の構成図
【図９】第２の実施形態の処理の流れを示すフローチャート
【図１０】第２の実施形態の表示例を示す図
【図１１】第２の実施形態の他の表示例を示す図
【図１２】第３の実施形態に係る携帯型端末装置の構成図
【図１３】第３の実施形態の処理の流れを示すフローチャート
【図１４】第３の実施形態の表示例を示す図
【図１５】第３の実施形態の他の表示例を示す図
【図１６】第４の実施形態に係る携帯型端末装置の構成図
【図１７】第４の実施形態の処理の流れを示すフローチャート
【図１８】第４の実施形態の表示例を示す図
【図１９】第４の実施形態の他の表示例を示す図
【図２０】従来の携帯型端末装置の構成図
【符号の説明】
【００８９】
１０１  ＣＰＵ
１０２  ＲＡＭ
１０３  記憶部
１０４  入力部
１０５  提示部
１０６  端末機能提供部
１０７  電源部
１０８  コンテンツ管理部
１０９  バッテリ残量取得部
１１０  電力プロファイル記憶部
１１１  バッテリ使用可能時間予測部
８０１  コンテンツ選択部
８０２  電力量計算部
８０３  バッテリ残量取得部
１２０１  コンテンツ提示時間予測部
１６０１  チューナー部
１６０２  電子番組情報管理部
１６０３  記録番組選択部
１６０４  記録モード選択部
【図１】
2005333583.tif 000003
【図２】
2005333583.tif 000004
【図３】
2005333583.tif 000005
【図４】
2005333583.tif 000006
【図５】
2005333583.tif 000007
【図６】
2005333583.tif 000008
【図７】
2005333583.tif 000009
【図８】
2005333583.tif 000010
【図９】
2005333583.tif 000011
【図１０】
2005333583.tif 000012
【図１１】
2005333583.tif 000013
【図１２】
2005333583.tif 000014
【図１３】
2005333583.tif 000015
【図１４】
2005333583.tif 000016
【図１５】
2005333583.tif 000017
【図１６】
2005333583.tif 000018
【図１７】
2005333583.tif 000019
【図１８】
2005333583.tif 000020
【図１９】
2005333583.tif 000021
【図２０】
2005333583.tif 000022